(57)【要約】【課題】外観的な変化をもたせることができると共に、小物部材の収納が行える実用的な人体に装着するリングバンドを提供する。【解決手段】伸縮性のある筒編み素材１を折り返してその両端を縫合することにより、周壁が筒編み素材１の二枚重ねとなるリング体３を形成し、このリング体３の外面に、筒編み素材１と一体に編み出され、その内部が二枚重ねとなる筒編み素材１間の隙間と連通する突部４を設け、この突部４を二枚重ねとなる筒編み素材１間に押し込むことにより、リング体３の外面で開口する袋部４ａを形成する。【選択図】図１
0003124219.tif 000002
【実用新案登録請求の範囲】
【請求項１】
伸縮性のある筒編み素材を折り返してその両端を縫合することにより、周壁が筒編み素材の二枚重ねとなるリング体を形成し、このリング体の外面に、筒編み素材と一体に編み出され、その内部が二枚重ねとなる筒編み素材間の隙間と連通する突部を設けた人体に装着するリングバンド。
【請求項２】
上記突部は、二枚重ねとなる筒編み素材間に押し込むことにより、リング体の外面で開口する袋部を形成するようになっている請求項１に記載の人体に装着するリングバンド。
【請求項３】
上記リング体が、リストバンド、フィンガーバンド、ヘアバンド、サポータの内の何れか一つである請求項１又は２に記載の人体に装着するリングバンド。
【考案の詳細な説明】
【技術分野】
【０００１】
この考案は、リストバンド、フィンガーバンド、ヘアバンド、サポータ等の人体に装着するリングバンド、更に詳しくは、外観を意匠的に向上させることができるだけでなく、小物の収納が可能になる伸縮性のリングバンドに関する。
【背景技術】
【０００２】
運動時に身体の関節部位を保護したり、ファッション性を向上させるために、身体にリングバンドを装着することが行われており、このようなリングバンドとしては、腕に装着して関節を保護するリストバンドやフィンガーバンド、足に装着して関節を保護するサポータ、頭に巻くヘアバンド等がある。
【０００３】
従来、上記のようなリングバンドは、一般的に、伸縮性のある筒編み素材を折り返してその両端を縫合することにより筒状に形成した構造になっており、意匠性を持たせるために刺繍を施したり、色彩により柄模様を施しているが、基本的に単純な筒体であるので、外観的に見た目の変化に乏しいものである。
【０００４】
このような筒体のリングバンドに外観的な変化をもたせるため、動物の顔等を表示するようにしたリングバンドの外部で、動物の耳に該当する位置に一対の袋をリングバンドと一体に編み上げ、この袋の開口部分をゴムで絞ってその内部に詰め物を施し、外観が動物の顔になるようにして変化をもたせたリングバンドが提案されている（例えば、特許文献１参照）。
【特許文献１】実開平６−１２４０９号公報
【考案の開示】
【考案が解決しようとする課題】
【０００５】
上記のような、外観的な変化をもたせたリングバンドは、単純な筒体のリングバンドに比べて意匠性やファッション性が向上することになるが、袋は単に動物の耳を表現するだけのものであり、リングバンド全体の外観形状を変更させることができず、実用的な機能は全くない。
【０００６】
ところで、各種運動をする時に、ティッシュ等の小物が手元にあると汗を拭くのに便利であり、また、ゴルフのような競技においては、マーカーやティー等の小物部材が必要になるが、このようなティッシュや小物部材を衣服のポケットに入れて携行した場合、その取り出しに手間がかかり、速やかに使用することができないという不便がある。
【０００７】
そこで、この考案の課題は、外観的な変化をもたせることができると共に、ティッシュや小物部材の収納が行える実用的な人体に装着するリングバンドを提供することにある。
【課題を解決するための手段】
【０００８】
上記のような課題を解決するため、この考案は、伸縮性のある筒編み素材を折り返してその両端を縫合することにより、周壁が筒編み素材の二枚重ねとなるリング体を形成し、このリング体の外面に、筒編み素材と一体に編み出され、その内部が二枚重ねとなる筒編み素材間の隙間と連通する突部を設けた構成を採用したものである。
【０００９】
上記突部は、二枚重ねとなる筒編み素材間に押し込むことにより、リング体の外面で開口する袋部を形成するようになっている構造とすることができる。
【００１０】
ここで上記リング体は、リストバンド、フィンガーバンド、ヘアバンド、サポータの内の何れか一つであり、例えば、筒編み機を用いて伸縮性のある筒編み素材を編み上げ、その両端を縫合して内側に折り返すことで二枚重ねとなるリング体を形成し、上記筒編み素材の編み上げ時にこの筒編み素材リング体の外側となる位置に突部を一体に編み上げ、リングバンドにおいて、突部が外観的な意匠性やファッション性を向上させると共に、突部を内側に押し込むことにより、リングバンドの外観に変化をもたせ、同時に突部の押し込みによって形成される袋部内が小物入れとなる。
【考案の効果】
【００１１】
この考案によると、伸縮性のある筒編み素材を折り返してその両端を縫合することにより、周壁が筒編み素材の二枚重ねとなるリング体を形成し、このリング体の外面に、筒編み素材と一体に編み出され、その内部が二枚重ねとなる筒編み素材間の隙間と連通する突部を設けたので、突部がリング体の外面側に施した図柄と関連して外観的な意匠性やファッション性を向上させると共に、この突部の押し込みによって形成される袋部内に小物部材を収納することができ、各種スポーツ時に小物部材を速やかに使用できるという利便性がある。
【００１２】
また、リング体は二枚重ねとなっているので、内側に押し込んだ突部は筒編み素材間に収まり、リングバンドを身体に着用して袋部に小物部材を収納した場合でも身体に違和感を与えることがない。
【考案を実施するための最良の形態】
【００１３】
以下、この考案の実施の形態を図示例と共に説明する。
【００１４】
図１に示す第１の実施の形態のリングバンドａは、筒編み機を用いて伸縮性のある筒編み素材１を編み上げ、この筒編み素材１の両端側を内側に折り返してその両端を縫合部２とすることにより、周壁が筒編み素材１の二枚重ねとなるリング体３を形成し、このリング体３の外面に、筒編み素材１と一体に編み出され、その内部が二枚重ねとなる筒編み素材１間の隙間と連通する突部４が設けられたリストバンドＡになっている。
【００１５】
この突部４の編み上げは、丁度靴下の踵を編むように、筒編み素材１の途中を切り離してこの切り離し部分を突部４でつなぐように編み上げればよい。
【００１６】
上記突部４は、筒編み素材１と異色の色糸を用い、リング体の外面側に施した図柄５と関連してリング体の周方向に長く扁平に編み上げ、図示の場合、図柄は両側に異色の糸で編んだ丸い目を表現し、突部４はその下側に位置して赤色等の糸で口を表現し、リングバンドａの外面が顔を表現したデザインになっている。
【００１７】
上記突部４は、外側に突出させることにより唇状となり、図１（ａ）に二点鎖線で示すように、これを内側に押し込んで二枚重ねとなる筒編み素材１間に収めると、口は薄い唇の閉じた状態で表現され、内側に押し込んだ突部４は小物部材を収納するための袋部４ａとなる。
【００１８】
図２に示す第２の実施の形態のリングバンドａは、上記第１の実施の形態と同様のリング体において、リング体の上側端部で両側の位置に、筒編み素材１と一体に編み出され、その内部が二枚重ねとなる筒編み素材１間の隙間と連通する突部４を設け、リング体の外面側に異色の糸で編んだ図柄５で、目や口、鼻、頬を表現することにより、前記突部４が耳を表現したリストバンドＡになっている。
【００１９】
この耳となる突部４も内側に押し込むことにより、リング体の外面は耳のない外観に変化し、小物部材を収納するための小さな袋部４ａとなる。
【００２０】
図３に示す第３の実施の形態のリングバンドａは、ヘアバンドＢの例であり、上記第１の実施の形態と同様で直径の大きなリング体において、このリング体の外面に上記第１の実施の形態と同様の突部４を周方向の複数箇所に設けたものである。当然ながら、このヘアバンドＢの外面にも、図柄や文字を表示するようにしてもよい。
【００２１】
上記各実施の形態で例示したリングバンドａは、リストバンドＡとヘアバンドＢであるが、これらのほかに、リングバンドとしては、フィンガーバンド、サポータ等を挙げることができ、また、各実施の形態において、リングバンドａに施す図柄５は自由に選択でき、また、これに対応した突部４は、その数や設ける位置、形状や大きさ、色彩等は任意に設定することができる。
【００２２】
この考案のリングバンドは、上記のような構成であり、リストバンドＡの場合は手首に装着し、ヘアバンドＢは頭部に巻着して関節の保護やファッション性の向上を図るものである。
【００２３】
上記のように、身体に装着したリングバンドａにおいて、図１の実施の形態では、デザイン化された顔を表現し、突部４を外側に突出させることにより唇状となり、図１（ｂ）に実線で示すように、これを内側に押し込んで二枚重ねとなる筒編み素材１間に収めると、口は薄い唇の閉じた状態で表現され、内側に押し込んだ突部４は袋部４ａとなり、そこに小物部材を収納することができる。
【００２４】
また、図２の実施の形態では、デザイン化された顔を表現し、上端部両側の突部４を外側に突出させることにより耳となり、図２（ｃ）に実線で示すように、これを内側に押し込んで二枚重ねとなる筒編み素材１間に収めると、耳は小さな袋部４ａとなり、そこに小物部材を収納することができる。
更に、図３の実施の形態のヘアバンドでは、ファッション性を向上させることができると共に、突部４を内側に押し込んで二枚重ねとなる筒編み素材１間に収めることで、袋部４ａに小物部材を収納することができる。
【図面の簡単な説明】
【００２５】
【図１】（ａ）はこの考案に係るリングバンドの第１の実施の形態を示す斜視図、（ｂ）は突部を内側に押し込んだリングバンドの拡大した一部縦断側面図
【図２】（ａ）はこの考案に係るリングバンドの第２の実施の形態を示す斜視図、（ｂ）はリングバンドの拡大した一部縦断側面図、（ｃ）は突部を内側に押し込んだリングバンドの拡大した縦断側面図
【図３】この考案に係るリングバンドの第３の実施の形態を示すヘアバンドの斜視図
【符号の説明】
【００２６】
１        筒編み素材
２        縫合部
３        リング体
４        突部
４ａ      袋部
５        図柄
Ａ        リストバンド
Ｂ        ヘアバンド
ａ        リングバンド
【図１】
0003124219.tif 000003
【図２】
0003124219.tif 000004
【図３】
0003124219.tif 000005